(57)【要約】  【課題】煩雑な操作を必要とせずに、手書きメモデータ等の情報入力装置に入力された情報を携帯端末に送ることのできる技術を提供する。  【解決手段】クレードル１は、携帯端末２を載置可能であり、携帯端末２の載置状態が「非載置」ならば、操作者から手書きメモデータを受け付けて表示するとともに、この手書きメモデータを、この手書きメモデータとともに操作者から受け付けた、あるいは予めクレードル１に記憶されているＩＤに対応付けて記憶する。また、携帯端末２の載置状態が「載置」ならば、携帯端末２からＩＤを受信し、このＩＤに対応付けられて記憶されている手書きメモデータを携帯端末２に送信する。一方、携帯端末２は、クレードル１に載置されると、操作者から受け付けた、あるいは予め携帯端末２に記憶されているＩＤをクレードル１に送信する。そして、クレードル１から手書きメモデータを受信したならば、これを記憶し表示する。【選択図】図１
2014063219.tif 000002
【特許請求の範囲】
【請求項１】
携帯端末を載置可能に構成された情報入力装置であって、
情報の入力を受け付ける受付手段と、
前記受付手段により受け付けた前記情報を表示する表示手段と、
前記受付手段により受け付けた前記情報を記憶する受付情報記憶手段と、
前記受付情報記憶手段に記憶されている前記情報を前記携帯端末へ送信する送信手段と、
前記携帯端末の載置状態を検知する端末検知手段と、
前記端末検知手段により検知された載置状態が「非載置」の場合に、前記受付手段を有効にして、前記受付手段により受け付けた前記情報を、前記表示手段に表示させるとともに、予め登録されている識別情報、あるいは操作者より受け付けた識別情報に対応付けて前記受付情報記憶手段に記憶させ、前記端末検知手段により検知された前記載置状態が「載置」の場合に、前記受付手段を無効にするとともに、前記携帯端末から識別情報を受信し、当該受信した識別情報に対応付けられて前記受付情報記憶手段に記憶されている前記情報があるならば、前記送信手段に、当該情報を前記携帯端末へ送信させる制御手段と、を有する
ことを特徴とする情報入力装置。
【請求項２】
請求項１に記載の情報入力装置であって、
識別情報を記憶する識別情報記憶手段をさらに有し、
前記制御手段は、
前記端末検知手段により検知された前記載置状態が「非載置」の場合に、前記受付手段により受け付けた前記情報を、前記識別情報記憶手段に記憶されている前記識別情報に対応付けて前記受付情報記憶手段に記憶させ、前記端末検知手段により検知された前記載置状態が「載置」の場合に、前記識別情報記憶手段の登録内容を、前記携帯端末から受信した前記識別情報に更新する
ことを特徴とする情報入力装置。
【請求項３】
請求項１または２に記載の情報入力装置であって、
識別情報を受け付ける識別情報受付手段をさらに有し、
前記制御手段は、
前記端末検知手段により検知された前記載置状態が「非載置」の場合に、前記識別情報受付手段により前記識別情報を受け付けているならば、前記受付手段により受け付けた前記情報を当該識別情報に対応付けて前記受付情報記憶手段に記憶させる
ことを特徴とする情報入力装置。
【請求項４】
請求項１ないし３のいずれか一項に記載の情報入力装置であって、
時間情報を受け付ける時間情報受付手段をさらに有し、
前記制御手段は、
前記端末検知手段により検知された前記載置状態が「非載置」の場合に、前記時間情報受付手段により前記時間情報を受け付けているならば、前記受付手段により受け付けた前記情報を、前記識別情報の代わりに、当該時間情報により特定される有効期限に対応付けて前記受付情報記憶手段に記憶させ、前記端末検知手段により検知された前記載置状態が「載置」の場合に、経過前の有効期限に対応付けられて前記受付情報記憶手段に記憶されている前記情報があるならば、前記携帯端末から受信した前記識別情報に関わらず、前記送信手段に、当該情報を前記携帯端末へ送信させる
ことを特徴とする情報入力装置。
【請求項５】
請求項４に記載の情報入力装置であって、
前記制御手段は、
前記端末検知手段により検知された前記載置状態が「非載置」の場合に、経過前の有効期限に対応付けられて前記受付情報記憶手段に記憶されている前記情報があるならば、当該有効期限を経過するまで当該情報を前記表示手段に表示させる
ことを特徴とする情報入力装置。
【請求項６】
請求項１ないし５に記載の情報入力装置に載置可能に構成された携帯端末であって、
前記情報入力装置への載置状態を検出する装置検知手段と、
前記装置検知手段により検知された前記載置状態が「載置」の場合に、予め登録されている識別情報、あるいは操作者より受け付けた識別情報を、前記情報入力装置に送信する識別情報送信手段と、
前記装置検知手段により検知された前記載置状態が「載置」の場合に、前記情報入力装置から情報を受信する受信手段と、
前記受信手段により受信した前記情報を記憶する受信情報記憶手段と、を有する
ことを特徴とする携帯端末。
【請求項７】
請求項６に記載の携帯端末であって、
前記受信情報記憶手段に記憶されている情報の一覧を表示して、当該一覧から表示対象の情報の選択を受け付ける選択受付手段と、
前記選択受付手段により選択された前記情報を前記受信情報記憶手段から読み出して表示する選択情報表示手段と、をさらに有する
ことを特徴とする携帯端末。
【発明の詳細な説明】
【技術分野】
【０００１】
本発明は、情報入力装置および携帯端末間の情報転送技術に関する。
【背景技術】
【０００２】
表示パネル上におけるタッチペン等の軌跡を、この表示パネルが備えるタッチセンサ機能で検出し、検出した軌跡を手書きメモデータとして受け付ける手書きメモ入力装置が知られている。
【０００３】
特許文献１には、タイトル、フォルダ名等の分類名についての煩雑な入力操作を必要とせずに手書きメモデータを保存できる手書きメモ入力装置が開示されている。この手書きメモ入力装置は、タッチセンサ機能付きの表示パネル上に、操作者より選択された分類に対応するベース画面を表示する。ベース画面は、手書きメモを受け付けるためのメモ画面と、格納指示を受け付けるための格納指示ボタンと、を備えており、このベース画面において、メモ画面上に手書きメモがなされ、格納指示ボタンがタッチされると、手書きメモ入力装置は、このベース画面に対応する分類名に対応付けて、この手書きメモが表す手書きメモデータを記憶する。
【先行技術文献】
【特許文献】
【０００４】
【特許文献１】特開平８−７６９１１号公報
【発明の概要】
【発明が解決しようとする課題】
【０００５】
ところで、手書きメモ入力装置に記憶した手書きメモデータを、例えば外出先で確認できるように携帯端末に移したい場合がある。この場合、従来、通信ケーブル、近距離無線通信等により、手書きメモ入力装置および携帯端末間を有線接続あるいは無線接続し、通信により手書きメモ入力装置から携帯端末へ手書きメモデータを移していた。あるいは、手書きメモ入力装置にリムーバブルメディアを装着して、手書きメモ入力装置からリムーバブルメディアに手書きメモデータを移し、その後、リムーバブルメディアを手書きメモ入力装置から取り外して携帯端末に装着し、リムーバブルメディアから携帯端末に手書きメモデータを移していた。このように、従来の手書きメモ入力装置は、携帯端末へ手書きメモデータを移すための操作が煩雑であり不便である。
【０００６】
本発明は上記事情に鑑みてなされたものであり、その目的は、煩雑な操作を必要とせずに、手書きメモデータ等の情報入力装置に入力された情報を携帯端末に送ることのできる技術を提供することにある。
【課題を解決するための手段】
【０００７】
上記課題を解決するために、本発明において、情報入力装置は、携帯端末を載置可能に構成されており、携帯端末の載置状態が「非載置」の場合に、操作者から情報の入力を受け付けて表示するとともに、この入力された情報を、操作者から受け付けた、あるいは予め情報入力装置に記憶されている識別情報に対応付けて記憶する。また、携帯端末の載置状態が「載置」の場合に、載置されている携帯端末から識別情報を受信し、この識別情報に対応付けられて記憶されている情報を載置されている携帯端末に送信する。一方、携帯端末は、情報入力装置に載置されると、操作者から受け付けた、あるいは予め携帯端末に記憶されている識別情報を情報入力装置に送信する。そして、情報入力装置から情報を受信したならば、これを記憶する。
【０００８】
例えば、本発明の情報入力装置は、携帯端末を載置可能に構成された情報入力装置であって、
情報の入力を受け付ける受付手段と、
前記受付手段により受け付けた前記情報を表示する表示手段と、
前記受付手段により受け付けた前記情報を記憶する受付情報記憶手段と、
前記受付情報記憶手段に記憶されている前記情報を前記携帯端末へ送信する送信手段と、
前記携帯端末の載置状態を検知する端末検知手段と、
前記端末検知手段により検知された載置状態が「非載置」の場合に、前記受付手段を有効にして、前記受付手段により受け付けた前記情報を、前記表示手段に表示させるとともに、予め登録されている識別情報、あるいは操作者より受け付けた識別情報に対応付けて前記受付情報記憶手段に記憶させ、前記端末検知手段により検知された前記載置状態が「載置」の場合に、前記受付手段を無効にするとともに、前記携帯端末から識別情報を受信し、当該受信した識別情報に対応付けられて前記受付情報記憶手段に記憶されている前記情報があるならば、前記送信手段に、当該情報を前記携帯端末へ送信させる制御手段と、を有する。
【０００９】
また、本発明の携帯端末は、上述の情報入力装置に載置可能に構成された携帯端末であって、
前記情報入力装置への載置状態を検出する装置検知手段と、
前記装置検知手段により検知された前記載置状態が「載置」の場合に、予め登録されている識別情報、あるいは操作者より受け付けた識別情報を、前記情報入力装置に送信する識別情報送信手段と、
前記装置検知手段により検知された前記載置状態が「載置」の場合に、前記情報入力装置から情報を受信する受信手段と、
前記受信手段により受信した前記情報を記憶する受信情報記憶手段と、を有する。
【発明の効果】
【００１０】
本発明によれば、携帯端末を情報入力装置に載置することにより、携帯端末に予め登録されている、あるいは操作者が携帯端末に入力した識別情報が、携帯端末から情報入力装置に送信され、これを受けて、携帯端末の載置前に情報入力装置に入力され、この識別情報に対応付けられて記憶された情報が、情報入力装置から携帯端末に送信される。このため、煩雑な操作を必要とせずに、情報入力装置に入力された情報を携帯端末に送ることが可能となる。
【図面の簡単な説明】
【００１１】
【図１】図１（Ａ）および図１（Ｂ）は、本発明の一実施の形態に係る携帯端末システムの概略構成図である。
【図２】図２は、本発明の一実施の形態に係る携帯端末システムの第一の動作例を説明するためのシーケンス図である。
【図３】図３は、本発明の一実施の形態に係る携帯端末システムの第二の動作例を説明するためのシーケンス図である。
【図４】図４は、本発明の一実施の形態に係る携帯端末システムの第三の動作例を説明するためのシーケンス図である。
【図５】図５は、クレードル１の概略機能構成図である。
【図６】図６は、手書きメモデータ記憶部１１２の登録内容例を模式的に表した図である。
【図７】図７は、携帯端末２が載置されていない場合のクレードル１の動作を説明するためのフロー図である。
【図８】図８は、携帯端末２が載置されている場合のクレードル１の動作を説明するためのフロー図である。
【図９】図９は、携帯端末２の概略機能構成図である。
【図１０】図１０（Ａ）は、携帯端末２の受電および手書きメモデータ受信動作を説明するためのフロー図であり、図１０（Ｂ）は、携帯端末２の手書きメモデータ一覧表示動作を説明するためのフロー図である。
【発明を実施するための形態】
【００１２】
以下に、本発明の一実施の形態について説明する。
【００１３】
図１（Ａ）および図１（Ｂ）は、本実施の形態に係る携帯端末システムの概略構成図であり、図１（Ａ）は、携帯端末２がクレードル１に載置されていない状態を示しており、図１（Ｂ）は、携帯端末２がクレードル１に載置されている状態を示している。
【００１４】
図示するように、本実施の形態に係る携帯端末システムは、多機能携帯電話機等の携帯端末２と、携帯端末２を載置可能に構成され、載置された携帯端末２を充電するクレードル１と、を備えている。
【００１５】
クレードル１は、タッチセンサ機能付き表示パネル１０を備えており、図１（Ａ）に示すように携帯端末２が載置されていない場合、タッチセンサ機能付き表示パネル１０を有効にして、タッチセンサ機能付き表示パネル１０に手書きメモ受付エリア１１、保存ボタン１２、ＩＤ入力欄１３、および時間入力欄１４を表示する。そして、タッチペン３等で手書きメモ受付エリア１１上に描かれた軌跡をタッチセンサ機能で検出し、検出した軌跡を手書きメモデータとして手書きメモ受付エリア１１に表示する。また、クレードル１は、タッチペン３等でＩＤ入力欄１３上に描かれた軌跡をタッチセンサ機能で検出し、検出した軌跡に対して文字認識処理を行って、操作者が指定したＩＤ（例えば携帯端末２の電話番号）を認識し、認識したＩＤをＩＤ入力欄１３に表示する。同様に、タッチペン３等で時間入力欄１４上に描かれた軌跡をタッチセンサ機能で検出し、検出した軌跡に対して文字認識処理を行って操作者の設定時間を認識し、この設定時間を時間入力欄１４に表示する。さらに、クレードル１は、タッチペン３等で保存ボタン１２がタッチされたことをタッチセンサ機能で検出すると、そのときに手書きメモ受付エリア１１に表示されている手書きメモデータを記憶する。この際、ＩＤ入力欄１３にＩＤが表示されているか、あるいはクレードル１に次述の紐付け用ＩＤが予め登録されているならば、これらのＩＤに対応付けて手書きメモデータを記憶する。また、時間入力欄１４に設定時間が表示されているならば、この設定時間により特定される有効期限に対応付けて手書きメモデータを記憶する。
【００１６】
また、クレードル１は、図１（Ｂ）に示すように携帯端末２が載置されている場合、タッチセンサ機能付き表示パネル１０を無効にする。そして、携帯端末２からＩＤを受信すると、このＩＤを紐付け用ＩＤとして登録するとともに、このＩＤに対応付けられて記憶されている手書きメモデータを検索する。このような手書きメモデータを検索できたならば、この手書きメモデータを携帯端末２に送信する。また、経過前の有効期限に対応付けられて記憶されている手書きメモデータがあるならば、携帯端末２から受信したＩＤ如何にかかわらず、この手書きメモデータを携帯端末２に送信する。
【００１７】
一方、携帯端末２は、表示パネル２０を備えており、クレードル１に載置されると、予め登録されている、あるいは操作者から受け付けたＩＤをクレードル１に送信し、クレードル１から手書きメモデータを受信したならば、これを記憶するとともに表示パネル２０に表示する。
【００１８】
図２は、本実施の形態に係る携帯端末システムの第一の動作例を説明するためのシーケンス図である。なお、初期状態において、携帯端末２はクレードル１に載置されておらず、また、クレードル１は手書きメモデータを記憶していないものとする。
【００１９】
まず、操作者が携帯端末２をクレードル１に載置したものとする（Ｓ１００）。クレードル１は、携帯端末２の載置状態が「非載置」から「載置」に変化したことを検出し（Ｓ１０１）、タッチセンサ機能付き表示パネル１０を無効にする（Ｓ１０２）。それから、載置された携帯端末２に対してＩＤ要求を送信する（Ｓ１０３）。これを受けて、携帯端末２は、予め登録されている、あるいは操作者から受け付けたＩＤをクレードル１に送信する（Ｓ１０４）。クレードル１は、携帯端末２から受信したＩＤを、次に記憶する手書きメモデータの紐付け用ＩＤとして登録する（Ｓ１０５）。
【００２０】
つぎに、操作者が携帯端末２をクレードル１から取り外して移動したものとする（Ｓ１０６）。クレードル１は、携帯端末２の載置状態が「載置」から「非載置」に変化したことを検出し（Ｓ１０７）、タッチセンサ機能付き表示パネル１０を有効にする（Ｓ１０８）。それから、操作者がタッチペン３等を用いてタッチセンサ機能付き表示パネル１０の手書きメモ受付エリア１１上にメモを手書きすると（Ｓ１０９）、クレードル１は、この手書きにより描かれたタッチペン３等の軌跡を検出し、検出した軌跡を手書きメモデータとして手書きメモ受付エリア１１に表示する（Ｓ１１０）。その後、操作者がタッチペン３等を用いてタッチセンサ機能付き表示パネル１０の保存ボタン１２にタッチすると（Ｓ１１１）、クレードル１は、これを検出して、手書きメモ受付エリア１１に表示されている手書きメモデータを、紐付け用ＩＤとして予め登録されているＩＤに対応付けて記憶する（Ｓ１１２）。
【００２１】
つぎに、操作者が携帯端末２をクレードル１に再び載置したものとする（Ｓ１１３）。クレードル１は、携帯端末２の載置状態が「非載置」から「載置」に変化したことを検出し（Ｓ１１４）、タッチセンサ機能付き表示パネル１０を無効にする（Ｓ１１５）。それから、載置された携帯端末２に対してＩＤ要求を送信する（Ｓ１１６）。これを受けて、携帯端末２は、予め登録されている、あるいは操作者から受け付けたＩＤをクレードル１に送信する（Ｓ１１７）。クレードル１は、紐付け用ＩＤを、携帯端末２から受信したＩＤに更新する（Ｓ１１８）。
【００２２】
それから、クレードル１は、受信したＩＤに対応付けられて記憶されている手書きメモデータを読み出して（Ｓ１１９）、この手書きメモデータを携帯端末２に送信し（Ｓ１２０）、その後、クレードル１から、この手書きメモデータを削除する（Ｓ１２１）。一方、携帯端末２は、クレードル１から受信した手書きメモデータを記憶するとともに、この手書きメモデータを表示パネル２０に表示する（Ｓ１２２）。
【００２３】
図３は、本実施の形態に係る携帯端末システムの第二の動作例を説明するためのシーケンス図である。なお、図２と同様に、初期状態において、携帯端末２はクレードル１に載置されておらず、また、クレードル１は手書きメモデータを記憶していないものとする。
【００２４】
クレードル１は、携帯端末２の載置状態が「非載置」であるので、タッチセンサ機能付き表示パネル１０を有効にしている。この状態において、操作者がタッチペン３等を用いてタッチセンサ機能付き表示パネル１０の手書きメモ受付エリア１１上にメモを手書きすると（Ｓ１３０）、クレードル１は、この手書きにより描かれたタッチペン３等の軌跡を検出し、検出した軌跡を手書きメモデータとして手書きメモ受付エリア１１に表示する（Ｓ１３１）。また、操作者がタッチペン３等を用いてタッチセンサ機能付き表示パネル１０のＩＤ入力欄１３にＩＤを手書きすると（Ｓ１３２）、クレードル１は、この手書きにより描かれたタッチペン３等の軌跡を検出し、検出した軌跡に文字認識処理を施して、操作者が指定するＩＤを認識する。そして、このＩＤをＩＤ入力欄１３に表示する（Ｓ１３３）。その後、操作者がタッチペン３等を用いてタッチセンサ機能付き表示パネル１０の保存ボタン１２にタッチすると（Ｓ１３４）、クレードル１は、これを検出して、手書きメモ受付エリア１１に表示されている手書きメモデータを、ＩＤ入力欄１３に表示されているＩＤに対応付けて記憶する（Ｓ１３５）。
【００２５】
つぎに、操作者が携帯端末２をクレードル１に載置したものとする（Ｓ１３６）。クレードル１は、携帯端末２の載置状態が「非載置」から「載置」に変化したことを検出し（Ｓ１３７）、タッチセンサ機能付き表示パネル１０を無効にする（Ｓ１３８）。それから、載置された携帯端末２に対してＩＤ要求を送信する（Ｓ１３９）。これを受けて、携帯端末２は、予め登録されている、あるいは操作者から受け付けたＩＤをクレードル１に送信する（Ｓ１４０）。クレードル１は、携帯端末２から受信したＩＤを紐付け用ＩＤとして登録する（Ｓ１４１）。
【００２６】
それから、クレードル１は、受信したＩＤに対応付けられて記憶されている手書きメモデータを読み出して（Ｓ１４２）、この手書きメモデータを携帯端末２に送信し（Ｓ１４３）、その後、クレードル１からこの手書きメモデータを削除する（Ｓ１４４）。一方、携帯端末２は、クレードル１から受信した手書きメモデータを記憶するとともに、この手書きメモデータを表示パネル２０に表示する（Ｓ１４５）。
【００２７】
図４は、本実施の形態に係る携帯端末システムの第三の動作例を説明するためのシーケンス図である。なお、図２および図３と同様に、初期状態において、携帯端末２はクレードル１に載置されておらず、また、クレードル１は手書きメモデータを記憶していないものとする。
【００２８】
クレードル１は、携帯端末２の載置状態が「非載置」であるので、タッチセンサ機能付き表示パネル１０を有効にしている。この状態において、操作者がタッチペン３等を用いてタッチセンサ機能付き表示パネル１０の手書きメモ受付エリア１１上にメモを手書きすると（Ｓ１５０）、クレードル１は、この手書きにより描かれたタッチペン３等の軌跡を検出し、検出した軌跡を手書きメモデータとして手書きメモ受付エリア１１に表示する（Ｓ１５１）。また、操作者がタッチペン３等を用いてタッチセンサ機能付き表示パネル１０の時間入力欄１４に時間を手書きすると（Ｓ１５２）、クレードル１は、この手書きにより描かれたタッチペン３等の軌跡を検出し、検出した軌跡に文字認識処理を施して操作者が設定する時間を認識する。そして、この設定時間を時間入力欄１４に表示する（Ｓ１５３）。その後、操作者がタッチペン３等を用いてタッチセンサ機能付き表示パネル１０の保存ボタン１２にタッチすると（Ｓ１５４）、クレードル１は、これを検出して、現在日時から、時間入力欄１４に表示されている設定時間経過した日時を、有効期限に設定する。そして、手書きメモ受付エリア１１に表示されている手書きメモデータを、設定した有効期限に対応付けて記憶する（Ｓ１５５）。
【００２９】
つぎに、操作者が携帯端末２をクレードル１に載置したものとする（Ｓ１５６）。クレードル１は、携帯端末２の載置状態が「非載置」から「載置」に変化したことを検出し（Ｓ１５７）、タッチセンサ機能付き表示パネル１０を無効にする（Ｓ１５８）。それから、載置された携帯端末２に対してＩＤ要求を送信する（Ｓ１５９）。これを受けて、携帯端末２は、予め登録されている、あるいは操作者から受け付けたＩＤをクレードル１に送信する（Ｓ１６０）。クレードル１は、携帯端末２から受信したＩＤを紐付け用ＩＤとして登録する（Ｓ１６１）。
【００３０】
それから、クレードル１は、受信したＩＤに対応付けられた手書きメモデータが記憶されていないことを確認するとともに、経過前の有効期限に対応付けられた手書きメモデータが記憶されていることを確認する。そして、経過前の有効期限に対応付けられた手書きメモデータを読み出して（Ｓ１６２）、携帯端末２から受信したＩＤ如何にかかわらず、この手書きメモデータを携帯端末２に送信する（Ｓ１６３）。一方、携帯端末２は、クレードル１から受信した手書きメモデータを記憶するとともに、この手書きメモデータを表示パネル２０に表示する（Ｓ１６４）。
【００３１】
その後、クレードル１は、有効期限に対応付けられて記憶されている手書きメモデータについて、この有効期限を経過したことを確認したならば（Ｓ１６５）、クレードル１から、この手書きメモデータを削除する（Ｓ１６６）。
【００３２】
つぎに、本実施の形態に係る携帯端末システムを構成するクレードル１および携帯端末２の詳細を説明する。
【００３３】
まず、クレードル１の詳細を説明する。
【００３４】
図５は、クレードル１の概略機能構成図である。
【００３５】
図示するように、クレードル１は、携帯端末インターフェース部１０１と、給電部１０２と、表示部１０３と、手書きメモ受付部１０４と、ＩＤ受付部１０５と、時間受付部１０６と、保存操作受付部１０７と、載置状態検出部１０８と、手書きメモデータ送信部１０９と、ＩＤ取得部１１０と、紐付け用ＩＤ記憶部１１１と、手書きメモデータ記憶部１１２と、主制御部１１３と、を備えている。
【００３６】
携帯端末インターフェース部１０１は、携帯端末２をクレードル１に載置することにより、携帯端末２と電気的に接続されるインターフェースである。携帯端末インターフェース部１０１を介して、クレードル１に載置された携帯端末２に対する給電および通信が行われる。
【００３７】
給電部１０２は、主制御部１１３の指示に従い、携帯端末インターフェース部１０１を介して、クレードル１に載置された携帯端末２を給電する。
【００３８】
表示部１０３、手書きメモ受付部１０４、ＩＤ受付部１０５、時間受付部１０６、および保存操作受付部１０７は、上述のタッチセンサ機能付き表示パネル１０により構成されている。表示部１０３は、手書きメモ受付エリア１１、保存ボタン１２、ＩＤ入力欄１３、および時間入力欄１４を表示するとともに、操作者から受け付けた情報等を表示する。手書きメモ受付部１０４は、タッチペン３等で手書きメモ受付エリア１１上に描かれた軌跡を検出し、この軌跡を手書きメモデータとして受け付ける。ＩＤ受付部１０５は、タッチペン３等でＩＤ入力欄１３上に描かれた軌跡を検出し、この軌跡に対して文字認識処理を行って、この軌跡が表すＩＤを受け付ける。時間受付部１０６は、タッチペン３等で時間入力欄１４上に描かれた軌跡を検出し、この軌跡に対して文字認識処理を行って、この軌跡が表す設定時間を受け付ける。そして、保存操作受付部１０７は、タッチペン３等で保存ボタン１２がタッチされたことを検出して保存操作を受け付ける。
【００３９】
載置状態検出部１０８は、携帯端末インターフェース部１０１の電気的あるいは機械的な接続状態を調べることにより、クレードル１への携帯端末２の載置状態を検出する。
【００４０】
手書きメモデータ送信部１０９は、主制御部１１３の指示に従い、携帯端末インターフェース部１０１を介して、クレードル１に載置された携帯端末２に手書きメモデータを送信する。
【００４１】
ＩＤ取得部１１０は、主制御部１１３の指示に従い、携帯端末インターフェース部１０１を介して、クレードル１に載置された携帯端末２にＩＤ要求を送信して、この携帯端末２からＩＤを受信する。
【００４２】
紐付け用ＩＤ記憶部１１１には、手書きメモ受付部１０４で受け付けた手書きメモデータの移動先となる携帯端末２を特定するためのＩＤ（例えば携帯端末２の電話番号）が紐付け用ＩＤとして記憶される。
【００４３】
手書きメモデータ記憶部１１２には、手書きメモ受付部１０４で受け付けた手書きメモデータが記憶される。
【００４４】
図６は、手書きメモデータ記憶部１１２の登録内容例を模式的に表した図である。
【００４５】
図示するように、手書きメモデータ記憶部１１２には、手書きメモデータ毎にレコード１１２０が登録される。レコード１１２０は、手書きメモ受付部１０４で受け付けた手書きメモデータを登録するフィールド１１２１と、この手書きメモデータの移動先となる携帯端末２を特定するためのＩＤ（例えば携帯端末２の電話番号）を登録するフィールド１１２２と、この手書きメモデータの複製を許可する有効期限を登録するフィールド１１２３と、この手書きメモデータの保存日時を登録するフィールド１１２４と、を有する。
【００４６】
ここで、フィールド１１２２には、手書きメモ受付部１０４で受け付けた手書きメモデータをフィールド１１２１に登録する際に、ＩＤ受付部１０５でＩＤを受け付けているならばこのＩＤが登録され、ＩＤ受付部１０５でＩＤを受け付けていないならば、紐付け用ＩＤ記憶部１１１に記憶されている紐付け用ＩＤが登録される。ただし、ＩＤ受付部１０５でＩＤを受け付けていない場合であっても、時間受付部１０６で設定時間を受け付けているならば、紐付け用ＩＤ記憶部１１１に記憶されている紐付け用ＩＤに関わらず、フィールド１１２２は空欄（ヌルデータ）となる。また、フィールド１１２３には、手書きメモ受付部１０４で受け付けた手書きメモデータをフィールド１１２１に登録する際に時間受付部１０６で設定時間を受け付けているならば、現在日時から、この受け付けた設定時間を経過した後の日時が有効期限として登録される。
【００４７】
主制御部１１３は、クレードル１の各部１０１〜１１２を統括的に制御する。
【００４８】
また、主制御部１１３は、載置状態検出部１０８で検出された携帯端末２の載置状態が「非載置」の場合に、手書きメモ受付エリア１１、保存ボタン１２、ＩＤ入力欄１３、および時間入力欄１４を表示部１０３に表示するとともに、手書きメモ受付部１０４で受け付けた手書きメモデータ、ＩＤ受付部１０５で受け付けたＩＤ、および時間受付部１０６で受け付けた設定時間を、それぞれ手書きメモ受付エリア１１、ＩＤ入力欄１３、および時間入力欄１４に表示する。そして、少なくとも手書きメモ受付部１０４で手書きメモデータを受け付けている状態において、保存操作受付部１０７が保存操作を受け付けた場合、手書きメモデータ記憶部１１２に手書きメモデータのレコード１１２０を新規登録する。
【００４９】
また、主制御部１１３は、載置状態検出部１０８で検出された携帯端末２の載置状態が「載置」の場合、クレードル１に載置されている携帯端末２を給電部１０２により給電する。また、ＩＤ取得部１１０により、クレードル１に載置されている携帯端末２からＩＤを取得し、この取得したＩＤを紐付け用ＩＤ記憶部１１１に記憶するとともに、このＩＤに対応付けられた手書きメモデータ、およびいずれのＩＤにも対応付けられていない手書きメモデータを手書きメモデータ記憶部１１２から読み出し、手書きメモデータ送信部１０９により、この読み出した手書きメモデータを、クレードル１に載置されている携帯端末２に送信する。
【００５０】
図７は、クレードル１の携帯端末２が載置されていない場合の動作を説明するためのフロー図である。このフローは、載置状態検出部１０８により携帯端末２の載置状態「非載置」が検出されることにより開始される。
【００５１】
まず、主制御部１１３は、タッチセンサ機能付き表示パネル１０を有効にして、手書きメモ受付エリア１１、保存ボタン１２、ＩＤ入力欄１３、および時間入力欄１４を表示部１０３に表示する（Ｓ２００）。
【００５２】
手書きメモ受付部１０４は、タッチペン３等で手書きメモ受付エリア１１上に描かれた軌跡を検出すると（Ｓ２０１でＹＥＳ）、この軌跡を手書きメモデータとして受け付けて主制御部１１３に渡す。これを受けて、主制御部１１３は、表示部１０３の手書きメモ受付エリア１１に、この手書きメモデータを表示する（Ｓ２０２）。
【００５３】
また、ＩＤ受付部１０５は、タッチペン３等でＩＤ入力欄１３上に描かれた軌跡を検出すると（Ｓ２０３でＹＥＳ）、この軌跡に対して文字認識処理を行って、この軌跡が表すＩＤを受け付けて主制御部１１３に渡す。これを受けて、主制御部１１３は、表示部１０３のＩＤ入力欄１３に、このＩＤを表示する（Ｓ２０４）。
【００５４】
また、時間受付部１０６は、タッチペン３等で時間入力欄１４上に描かれた軌跡を検出すると（Ｓ２０５でＹＥＳ）、この軌跡に対して文字認識処理を行って、この軌跡が表す設定時間を受け付けて主制御部１１３に渡す。これを受けて、主制御部１１３は、表示部１０３の時間入力欄１４に、この設定時間を表示する（Ｓ２０６）。
【００５５】
また、保存操作受付部１０７は、タッチペン３等で保存ボタン１２がタッチされたことを検出すると（Ｓ２０７でＹＥＳ）、その旨を主制御部１１３に通知する。これを受けて、主制御部１１３は、表示部１０３の手書きメモ受付エリア１１に手書きメモデータを表示中であるか否かを調べる。
【００５６】
手書きメモデータを表示中でなければ（Ｓ２０８でＮＯ）、携帯端末２の載置状態をチェックする（Ｓ２１７）。また、手書きメモデータを表示中であれば（Ｓ２０８でＹＥＳ）、表示部１０３のＩＤ入力欄１３にＩＤを表示中であるか否かをさらに調べる（Ｓ２０９）。そして、ＩＤを表示中ならば（Ｓ２０９でＹＥＳ）、主制御部１１３は、手書きメモデータ記憶部１１２に新たなレコード１１２０を追加し、このレコード１１２０のフィールド１１２１、１１２２、１１２４に、表示中の手書きメモデータ、表示中のＩＤ、および現在日時を登録し、フィールド１１２３は空欄（ヌルデータ）のままとする（Ｓ２１０）。その後、表示部１０３の手書きメモ受付エリア１１、ＩＤ入力欄１３、および時間入力欄１４の表示内容をクリアして（Ｓ２１６）、携帯端末２の載置状態の変化を待つ（Ｓ２１７）。
【００５７】
一方、ＩＤを表示中でない場合（Ｓ２０９でＮＯ）、主制御部１１３は、表示部１０３の時間入力欄１４に設定時間を表示中であるか否かを調べる（Ｓ２１１）。
【００５８】
そして、設定時間を表示中ならば（Ｓ２１１でＹＥＳ）、主制御部１１３は、現在日時からこの設定時間経過した後の日時を有効期限に設定するとともに（Ｓ２１２）、手書きメモデータ記憶部１１２に新たなレコード１１２０を追加し、このレコード１１２０のフィールド１１２１、１１２３、１１２４に、表示中の手書きメモデータ、設定した有効期限、および現在日時を登録し、フィールド１１２２は空欄のままとする（Ｓ２１３）。その後、表示部１０３の手書きメモ受付エリア１１、ＩＤ入力欄１３、および時間入力欄１４の表示内容をクリアして（Ｓ２１６）、携帯端末２の載置状態をチェックする（Ｓ２１７）。
【００５９】
一方、設定時間を表示中でない場合（Ｓ２１１でＮＯ）、主制御部１１３は、紐付け用ＩＤ記憶部１１１に紐付けＩＤが記憶されているか否かを調べる（Ｓ２１４）。そして、紐付け用ＩＤ記憶部１１１にＩＤが記憶されていないならば（Ｓ２１４でＮＯ）、携帯端末２の載置状態をチェックする（Ｓ２１７）。また、紐付け用ＩＤ記憶部１１１に紐付けＩＤが記憶されているならば（Ｓ２１４でＹＥＳ）、主制御部１１３は、手書きメモデータ記憶部１１２に新たなレコード１１２０を追加し、このレコード１１２０のフィールド１１２１、１１２２、１１２４に、表示中の手書きメモデータ、紐付け用ＩＤ記憶部１１１に記憶されている紐付けＩＤ、および現在日時を登録し、フィールド１１２３は空欄のままとする（Ｓ２１５）。その後、表示部１０３の手書きメモ受付エリア１１、ＩＤ入力欄１３、および時間入力欄１４の表示内容をクリアして（Ｓ２１６）、携帯端末２の載置状態をチェックする（Ｓ２１７）。
【００６０】
さて、Ｓ２１７において、主制御部１１３は、載置状態検出部１０８により検出される携帯端末２の載置状態が「非載置」から「載置」に変化したか否かを判断する。携帯端末２の載置状態が「載置」に変化していない場合は（Ｓ２１７でＮＯ）、手書きメモデータ記憶部１１２から、フィールド１１２３に記憶された有効期限を経過しているレコード１１２０を削除し（Ｓ２１８）、Ｓ２０１に戻る。一方、携帯端末２の載置状態が「載置」に変化した場合は（Ｓ２１７でＹＥＳ）、このフローを終了する。
【００６１】
図８は、クレードル１の携帯端末２が載置されている場合の動作を説明するためのフロー図である。このフローは、載置状態検出部１０８により携帯端末２の載置状態「載置」が検出されることにより開始される。
【００６２】
まず、主制御部１１３は、給電部１０２を有効にして、クレードル１に載置されている携帯端末２に対する給電を開始する（Ｓ２２０）。また、タッチセンサ機能付き表示パネル１０を無効にして、手書きメモ受付エリア１１、保存ボタン１２、ＩＤ入力欄１３、および時間入力欄１４の表示を終了する（Ｓ２２１）。
【００６３】
つぎに、主制御部１１３は、ＩＤ取得部１１０にＩＤ取得を指示する。これを受けて、ＩＤ取得部１１０は、携帯端末インターフェース部１０１を介して、クレードル１に載置されている携帯端末２にＩＤ要求を送信し、この携帯端末２からＩＤを受信する（Ｓ２２２）。そして、受信したＩＤを主制御部１１３に通知する。
【００６４】
つぎに、主制御部１１３は、ＩＤ取得部１１０より受け取ったＩＤがフィールド１１２２に登録されたレコード１１２０を手書きメモデータ記憶部１１２から検索する（Ｓ２２３）。このようなレコード１１２０を検索できたならば（Ｓ２２３でＹＥＳ）、このレコード１１２０のフィールド１１２１に登録された手書きメモデータを手書きメモデータ記憶部１１２から読み出して手書きメモデータ送信部１０９に渡す。これを受けて、手書きメモデータ送信部１０９は、携帯端末インターフェース部１０１を介して、クレードル１に載置されている携帯端末２に、この手書きメモデータを送信する（Ｓ２２４）。それから、主制御部１１３は、手書きメモデータ送信部１０９により送信された手書きメモデータがフィールド１１２１に登録されているレコード１１２０を、手書きメモデータ記憶部１１２から削除する（Ｓ２２５）。
【００６５】
また、主制御部１１３は、フィールド１１２２にＩＤが登録されておらず、空欄となっているレコード１１２０を手書きメモデータ記憶部１１２から検索する（Ｓ２２６）。このようなレコード１１２０を検索できたならば（Ｓ２２６でＹＥＳ）、このレコード１１２０のフィールド１１２１に登録された手書きメモデータを手書きメモデータ記憶部１１２から読み出して手書きメモデータ送信部１０９に渡す。これを受けて、手書きメモデータ送信部１０９は、携帯端末インターフェース部１０１を介して、クレードル１に載置されている携帯端末２に、この手書きメモデータを送信する（Ｓ２２７）。
【００６６】
その後、主制御部１１３は、載置状態検出部１０８により検出される携帯端末２の載置状態が「載置」から「非載置」に変化したか否かを判断する（Ｓ２２８）。携帯端末２の載置状態が変化していない場合は（Ｓ２２８でＮＯ）、手書きメモデータ記憶部１１２から、フィールド１１２３に記憶された有効期限を経過しているレコード１１２０を削除し（Ｓ２２９）、Ｓ２２８に戻る。一方、携帯端末２の載置状態が「非載置」に変化した場合は（Ｓ２２８でＹＥＳ）、給電部１０２を無効にして給電を終了し（Ｓ２３０）、その後、このフローを終了する。
【００６７】
つぎに、携帯端末２の詳細を説明する。
【００６８】
図９は、携帯端末２の概略機能構成図である。
【００６９】
図示するように、携帯端末２は、クレードルインターフェース部２０１と、携帯電話網インターフェース部２０２と、マンマシンインターフェース部２０３と、携帯電話処理部２０４と、受電部２０５と、載置状態検出部２０６と、ＩＤ通知部２０７と、手書きメモデータ受信部２０８と、手書きメモデータ記憶部２０９と、主制御部２１０と、を備えている。
【００７０】
クレードルインターフェース部２０１は、携帯端末２をクレードル１に載置することにより、クレードル１と電気的に接続されるインターフェースである。クレードルインターフェース部２０１を介して、携帯端末２が載置されたクレードル１に対する受電および通信が行われる。
【００７１】
携帯電話網インターフェース部２０２は、携帯電話網に接続するためのインターフェースである。
【００７２】
マンマシンインターフェース部２０３は、通話用のマイクおよびスピーカと、情報表示用の表示パネル２０と、操作受付用の操作パネルと、を備えている。なお、表示パネル２０および操作パネルは、両者が一体化されたタッチセンサ機能付表示パネルであってもよい。
【００７３】
携帯電話処理部２０４は、携帯電話機として機能するために必要な処理を行う。具体的には、主制御部２１０の指示に従って発着信制御を行い、携帯電話網インターフェース部２０２および携帯電話網を介して相手端末との間にセッションを確立する。そして、このセッションを介して、マンマシンインターフェース部２０３に入力された操作者の音声データを相手端末に送信するともに、相手端末から受信した音声データをマンマシンインターフェース部２０３に出力する。
【００７４】
受電部２０５は、主制御部２１０の指示に従い、クレードルインターフェース部２０１を介して、携帯端末２が載置されているクレードル１から受電して、図示していない内蔵の駆動用バッテリを充電する。
【００７５】
載置状態検出部２０６は、クレードルインターフェース部２０１の電気的あるいは機械的な接続状態を調べることにより、クレードル１への携帯端末２の載置状態を検出する。
【００７６】
ＩＤ通知部２０７は、主制御部２１０の指示に従い、クレードルインターフェース部２０１を介して、携帯端末２が載置されているクレードル１にＩＤを通知する。
【００７７】
手書きメモデータ受信部２０８は、クレードルインターフェース部２０１を介して、携帯端末２が載置されているクレードル１から手書きメモデータを受信する。
【００７８】
手書きメモデータ記憶部２０９には、手書きメモデータ受信部２０８により受信された手書きメモデータが記憶される。
【００７９】
主制御部２１０は、携帯端末２の各部２０１〜２０９を統括的に制御する。
【００８０】
また、主制御部２１０は、載置状態検出部２０６で検出されたクレードル１への載置状態が「載置」の場合に、ＩＤ通知部２０７を介して、携帯端末２が載置されているクレードル１から受信したＩＤ要求に従い、図示していないメモリ等に予め登録されている、あるいはマンマシンインターフェース部２０３を介して操作者から受け付けたＩＤを、このクレードル１に送信する。そして、手書きメモデータ受信部２０８を介してこのクレードル１から手書きメモデータを受信したならば、この手書きメモデータを手書きメモデータ記憶部２０９に記憶するとともにマンマシンインターフェース部２０３に表示する。
【００８１】
図１０（Ａ）は、携帯端末２の受電および手書きメモデータ受信動作を説明するためのフロー図である。このフローは、載置状態検出部２０６によりクレードル１への載置状態「載置」が検出されることにより開始される。
【００８２】
まず、主制御部２１０は、受電部２０５を有効にして、携帯端末２が載置されているクレードル１からの受電を開始し、図示していない内蔵の駆動用バッテリを充電する（Ｓ３００）。
【００８３】
つぎに、ＩＤ通知部２０７は、クレードルインターフェース部２０１を介して、携帯端末２が載置されているクレードル１からＩＤ要求を受信し、このＩＤ要求を主制御部２１０に通知する。これを受けて、主制御部２１０は、予め登録されている、あるいはマンマシンインターフェース部２０３を介して操作者から受け付けたＩＤをＩＤ通知部２０７に渡す。そして、ＩＤ通知部２０７は、クレードルインターフェース部２０１を介して、携帯端末２が載置されているクレードル１に、主制御部２１０から受け取ったＩＤを送信する（Ｓ３０１）。
【００８４】
つぎに、手書きメモデータ受信部２０８は、クレードルインターフェース部２０１を介して、携帯端末２が載置されているクレードル１から手書きメモデータを受信すると（Ｓ３０２でＹＥＳ）、この手書きメモデータを主制御部２１０に通知する。これを受けて、主制御部２１０は、この手書きメモデータを手書きメモデータ記憶部２０９に記憶するとともにマンマシンインターフェース部２０３に表示する（Ｓ３０３）。
【００８５】
また、主制御部２１０は、載置状態検出部２０６により検出されるクレードル１への載置状態が「載置」から「非載置」に変化すると（Ｓ３０４でＹＥＳ）、受電部２０５を無効にして受電を終了し（Ｓ３０５）、その後、このフローを終了する。
【００８６】
図１０（Ｂ）は、携帯端末２の手書きメモデータ一覧表示動作を説明するためのフロー図である。このフローは、載置状態検出部２０６によりクレードル１への載置状態「非載置」が検出されることにより開始される。
【００８７】
まず、主制御部２１０は、マンマシンインターフェース部２０３を介して操作者から、手書きメモデータの一覧表示指示を受け付けると（Ｓ３１０でＹＥＳ）、手書きメモデータ記憶部２０９に記憶されている手書きメモデータ各々のサムネイルを作成し、これらのサムネイルをマンマシンインターフェース部２０３に一覧表示する（Ｓ３１１）。そして、マンマシンインターフェース部２０３を介して操作者からいずれかのサムネイルが選択されるのを待つ（Ｓ３１２）。
【００８８】
マンマシンインターフェース部２０３を介して操作者により、一覧表示中のサムネイルのなかからいずれかのサムネイルが選択されたならば（Ｓ３１２でＹＥＳ）、主制御部２１０は、選択されたサムネイルに対応する手書きメモデータを手書きメモデータ記憶部２０９から読み出してマンマシンインターフェース部２０３に表示する（Ｓ３１３）。その後、主制御部２１０は、マンマシンインターフェース部２０３を介して操作者から、手書きメモデータの表示終了指示を受け付けたならば（Ｓ３１４でＹＥＳ）、マンマシンインターフェース部２０３に対する手書きメモデータの表示を終了する（Ｓ３１５）。
【００８９】
また、主制御部２１０は、載置状態検出部２０６により検出されるクレードル１への載置状態が「非載置」から「載置」に変化すると（Ｓ３１６でＹＥＳ）、このフローを終了する。
【００９０】
以上、本発明の一実施の形態を説明した。
【００９１】
クレードル１は、携帯端末２を載置可能に構成されており、携帯端末２の載置状態が「非載置」の場合に、操作者から手書きメモデータの入力を受け付けて表示するとともに、この手書きメモデータを、この手書きメモデータとともに操作者から受け付けた、あるいは予めクレードル１に記憶されているＩＤに対応付けて記憶する。また、携帯端末２の載置状態が「載置」の場合に、載置されている携帯端末２からＩＤを受信し、このＩＤに対応付けられて記憶されている手書きメモデータを携帯端末２に送信する。一方、携帯端末２は、クレードル１に載置されると、操作者から受け付けた、あるいは予め携帯端末２に記憶されているＩＤをクレードル１に送信する。そして、クレードル１から手書きメモデータを受信したならば、これを記憶するとともに表示する。
【００９２】
したがって、本実施の形態によれば、携帯端末２をクレードル１に載置することにより、携帯端末２に予め登録されている、あるいは操作者が携帯端末２に入力したＩＤが、携帯端末２からクレードル１に送信され、これを受けて、携帯端末２の載置前にクレードル１に入力され、このＩＤに対応付けられて記憶された手書きメモデータが、クレードル１から携帯端末２に送信される。このため、クレードル１に携帯端末２を載置するだけで、煩雑な操作を必要とせずに、クレードル１に入力された手書きメモデータを携帯端末２に移すことが可能となる。
【００９３】
また、本実施の形態において、クレードル１は、紐付け用ＩＤ記憶部１１１を備え、携帯端末２が載置されている場合に、この携帯端末２から受信したＩＤを紐付け用ＩＤ記憶部１１１に記憶する。また、携帯端末２が載置されていない場合に、操作者より受け付けた手書きメモデータを、紐付け用ＩＤ記憶部１１１に記憶されているＩＤに対応付けて手書きメモデータ記憶部１１２に記憶する。
【００９４】
したがって、本実施の形態によれば、操作者は、クレードル１に手書きメモデータを入力するのに先立って携帯端末２をクレードル１に一旦載置すれば、その後、携帯端末２をクレードル１から移動し、それから、クレードル１に手書きメモデータを入力して、携帯端末２をクレードル１に再び載置するだけで、この手書きメモデータをクレードル１から携帯端末２に移動することができる（図２参照）。したがって、クレードル１に対する携帯端末２の着脱といったより簡単な操作で、クレードル１に入力された手書きメモデータを携帯端末２に移すことが可能となる。
【００９５】
また、本実施の形態において、クレードル１は、操作者からＩＤを受け付けるＩＤ受付部１０５を備え、携帯端末２が載置されていない場合に、操作者より受け付けた手書きメモデータを、この手書きメモデータとともに操作者より受け付けたＩＤに対応付けて手書きメモデータ記憶部１１２に記憶する。
【００９６】
したがって、本実施の形態によれば、クレードル１に携帯端末２を載置するのに先立って、手書きメモデータおよびＩＤをクレードル１に入力し、それから、携帯端末２をクレードル１に載置することにより、この手書きメモデータをクレードル１から携帯端末２に移動することができる（図３参照）。したがって、より簡単な操作で、クレードル１に入力された手書きメモデータを携帯端末２に移すことが可能となる。
【００９７】
また、本実施の形態において、クレードル１は、操作者から設定時間を受け付ける時間受付部１０６を備え、携帯端末２が載置されていない場合に、操作者より受け付けた手書きメモデータを、この手書きメモデータとともに操作者より受け付けた設定時間により特定される有効期限に対応付けて手書きメモデータ記憶部１１２に記憶する。そして、携帯端末２が載置されている場合に、経過前の有効期限に対応付けられている手書きメモデータがあるならば、携帯端末２から受信したＩＤに関わらず、この手書きメモデータを、クレードル１に載置されている携帯端末２に送信する（図４参照）。
【００９８】
したがって、本実施の形態によれば、有効期限内であれば、同一の手書きメモデータを、クレードル１に載置された複数の携帯端末２に送信することが可能となる。このため、クレードル１への携帯端末２の載置といった簡単な操作で、複数の携帯端末２間における手書きメモデータの共有を図ることができる。
【００９９】
また、本実施の形態において、携帯端末２は、操作者の指示に従い、携帯端末２に記憶されている手書きメモデータのサムネイルを一覧表示し、その中から操作者に選択された手書きメモデータを表示している。このようにすることで、携帯端末２に複数の手書きメモデータが記憶されている場合に、所望の手書きメモデータを簡単に見つけ出すことが可能となる。
【０１００】
なお、本発明は上記の実施の形態に限定されるものではなく、その要旨の範囲内で数々の変形が可能である。
【０１０１】
例えば、上記の実施の形態において、クレードル１は、手書きメモデータを手書きメモデータ記憶部１１２に記憶することにより、この手書きメモデータの、表示部１０３への表示を終了している（図７のＳ２１６）。しかし、本発明はこれに限定されない。クレードル１に携帯端末２が載置されるまで、手書きメモデータ記憶部１１２に記憶した手書きメモデータを表示し続けるようにしてもよい。また、この手書きメモデータが有効期限に対応付けられて手書きメモデータ記憶部１１２に記憶されたならば、この有効期限が経過するまでの間、この手書きメモデータを表示し続けるようにしてもよい。このようにすることにより、操作者は、自身の携帯端末２に移すべき手書きメモデータがクレードル１に記憶されているか否かを視覚的に判断することができる。
【０１０２】
また、上記の実施の形態において、ＩＤ受付部１０５、時間受付部１０６で受け付けるＩＤ、設定時間は、タッチセンサ機能付き表示パネル１０を介して入力された手書きの情報から文字認識されたものである必要ははく、例えばキーボード等を使って入力されたものでもよい。  また、上記実施の形態では、携帯端末２がクレードル１に載置されるごとに紐付けＩＤが更新されるが、クレードル１の利用形態によっては、必ずしも、このようにする必要はない。例えば、携帯端末２のユーザの机の上のクレードル１がおかれている場合等のような、クレードル１を利用する携帯電話２が固定されている場合には、携帯端末２のＩＤを紐付けＩＤとしてクレードル１に予め登録しておき、ＩＤまたは設定時間が指定されずにクレードル１に手書きされたメモが携帯端末２のユーザのみに宛てたものとなるようにしてもよい。この場合、携帯端末２のユーザは、例えば、自身の不在中、自身の席のクレードル１を自身への伝言板として他のユーザに利用してもらい、席に戻ってから、クレードル１に携帯端末２を載置するだけで、自身の不在中に残された伝言をクレードル１から携帯端末２に送ることができる。
【０１０３】
また、上記の実施の形態において、図５に示すクレードル１および図９に示す携帯端末２各々の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、モデム等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【０１０４】
また、上記の実施の形態では、携帯端末２を充電可能なクレードル１に本発明を適用した場合を例にとり説明したが、本発明はこれに限定されない。本発明は、携帯端末２を載置可能または接触可能に構成された様々な情報入力装置に適用可能である。
【０１０５】
例えば、ホワイトボード等の電子黒板に携帯端末インターフェース部を設けておき、この携帯端末インターフェース部に携帯端末２のクレードルインターフェース部を接触させることにより、電子黒板のイメージスキャナにより読み取られたイメージデータが携帯端末２に送られるようにしてもよい。このようにすることにより、例えば会議中に電子黒板のボード部に記載された議事録、掲示板として利用されている電子黒板のボード部に記載された連絡事項等を、簡単な操作で携帯端末２に取り込むことができる。
【０１０６】
また、情報入力装置から携帯端末２に移動する情報も、タッチセンサ機能付き表示パネル１０を介して入力された手書きメモデータに限定されず、例えばキーボード等を用いて入力された情報でもよい。
【符号の説明】
【０１０７】
１：クレードル、  ２：携帯端末、  ３：タッチペン、  １０：タッチセンサ機能付き表示パネル、  ２０：表示パネル、  １０１：携帯端末インターフェース部、  １０２：給電部、  １０３：表示部、  １０４：手書きメモ受付部、  １０５：ＩＤ受付部、  １０６：時間受付部、  １０７：保存操作受付部、  １０８：載置状態検出部、  １０９：手書きメモデータ送信部、  １１０：ＩＤ取得部、  １１１：紐付け用ＩＤ記憶部、  １１２：手書きメモデータ記憶部、  １１３：主制御部、  ２０１：クレードルインターフェース部、  ２０２：携帯電話網インターフェース部、  ２０３：マンマシンインターフェース部、  ２０４：携帯電話処理部、  ２０５：受電部、  ２０６：載置状態検出部、  ２０７：ＩＤ通知部、  ２０８：手書きメモデータ受信部、  ２０９：手書きメモデータ記憶部、  ２１０：主制御部
【図１】
2014063219.tif 000003
【図２】
2014063219.tif 000004
【図３】
2014063219.tif 000005
【図４】
2014063219.tif 000006
【図５】
2014063219.tif 000007
【図６】
2014063219.tif 000008
【図７】
2014063219.tif 000009
【図８】
2014063219.tif 000010
【図９】
2014063219.tif 000011
【図１０】
2014063219.tif 000012